(57)【特許請求の範囲】
【請求項１】
シート蓋を前もって射出成形用金型内に挿着し、シート蓋の周壁上方に外周リングを、周壁下方に内周リングを射出成形するとともに、前記シート蓋と一体成形した広口蓋であって、前記外周リングの内周上縁部とシート蓋の周壁外周上縁部との間で剥離開封可能に射出成形され、前記内周リングの上端面に、先端に幅広の指当て板をもつプルリングを設けた支柱が立設され、この支柱の両側に対応する所定位置の内周リングの内周縁部に該内周リングを反転させる一対の反転用ノッチが形成され、前記シート蓋の周壁の外周縁部がテーパー形状に形成され、前記シート蓋のプルリング側の外周縁部が接線に平行に内側をカットされていることを特徴とするプルリング付広口蓋。
【請求項２】
前記射出成形用金型のゲート位置を、前記外周リングの内周上縁部から前記シート蓋を剥離して開封するときの前記プルリングを設けた支柱とは反対側となる最終位置から外し、且つ、前記シート蓋から離した位置に設けたことにより開封性を良好にしたことを特徴とする請求項１記載のプルリング付広口蓋。
【発明の詳細な説明】
【０００１】
【発明の属する技術分野】
本発明は、果汁飲料、清酒、果実や粒状菓子などに使用するカップ状複合容器に装着するプルリング付広口蓋に関するものである。
【０００２】
【従来の技術】
従来、食品内容物の広い使用分野で、カップ状の複合容器が使用されているが、このカップ状複合容器には、容器の使用目的によって、プルリング付広口蓋が使用されていた。プルリング付広口蓋は、例えば、シート蓋に外周リングとプルリング付内周リングをインサート射出成形法で一体成形したものであり、外周リングの下面を複合容器の口部に熱融着して容器を密封し、使用時には、内周リングのプルリングを指で引っ張って、シート蓋を外周リングから剥離して容器を開封するものであった。
【０００３】
【発明が解決しようとする課題】
しかしながら、上述の従来のプルリング付広口蓋は、内容物が特に液状内容物の場合には、プルリングを指で引っ張ってフルオープンするときに、容器の口部に熱融着する外周リングからシート蓋を剥離する抵抗により発生する振動により、内容物が容器からこぼれることがあった。また、プルリングのエッジにより指当たりが悪かったり、シート蓋が外周リングにアール状に接着しているため剥離しにくく開封適性が悪いものがあった。
【０００４】
本発明は、上述の従来の問題を解決したものであり、開封時に内容物が容器からこぼれる危惧がなく、開封適性が良好で、しかも、形状が良好なプルリング付広口蓋を提供するものである。
【０００５】
【課題を解決するための手段】
すなわち、本発明の第１の発明は、シート蓋を前もって射出成形用金型内に挿着し、図１（ａ）及び（ｂ）に示すように、シート蓋の周壁上方に外周リング（１００）を、周壁下方に内周リング（２００）を射出成形するとともに、前記シート蓋と一体成形した広口蓋であって、前記外周リング（１００）の内周上縁部とシート蓋（３００）の周壁（３１１）の外周上縁部との間で剥離開封可能に射出成形され、前記内周リング（２００）の上端面に、先端に幅広の指当て板をもつプルリング（２１０）を設けた支柱（２１１）が立設され、この支柱（２１１）の両側に対応する所定位置の内周リング（２００）の内周縁部に該内周リング（２００）を反転させる一対の反転用ノッチ（２２０）が形成され、前記シート蓋の周壁の外周縁部がテーパー形状に形成され、前記シート蓋のプルリング側の外周縁部が接線に平行に内側をカットされていることを特徴とするプルリング付広口蓋である。
【０００６】
そして、本発明の第２の発明は、前記射出成形用金型のゲート位置（Ｇ）を、図１（ｃ）に示すように、前記外周リング（１００）の内周上縁部から前記シート蓋（３００）を剥離して開封するときの前記プルリングを設けた支柱（２１１）とは反対側となる最終位置から外し、且つ、前記シート蓋から離した位置に設けたことにより開封性を良好にしたことを特徴とする請求項１記載のプルリング付広口蓋である。
【０００７】
【作用】
本発明のプルリング付広口蓋は、プルリングの支柱の両側の所定位置の内周リングの内周縁部に、反転用ノッチが形成されており、プルリングを指で引っ張って、容器口部に熱融着する外周リングからシート蓋を剥離して容器を開封するときに、剥離するシート蓋が開封途中で反転するため、開封が一旦停止したのち開封が継続するようになる。この結果、シート蓋を剥離する抵抗により発生する振動が和らぎ、開封時に内容物が容器からこぼれることがない。
【０００８】
また、プルリングに幅広の指当て板が形成されているため、プルリングに指をしっかり当てて引っ張り易く、また、シート蓋のプルリング側の外周縁部が、接線に平行に内側をカットされてため、開封開始部分の外周リングに接着するシート蓋の接着面積が少なく剥離がし易く、開封開始時に強い開封力を必要とせず、しかも、容器の口部に熱融着する外周リングに、シート蓋の外周縁部がテーパー形状で接着しているため、剥離し易く、開封適性が良好である。
【０００９】
そして、射出成形用金型のゲート位置を、外周リングからシート蓋を剥離して開封するときの最終位置から外し、且つ、シート蓋から離した位置に設けられているため、製造時のゲートから射出される溶融樹脂による熱や圧力によって、シート蓋が破損することがなく、形状が良好なプルリング付蓋である。
【００１０】
【発明の実施の形態】
本発明のプルリング付広口蓋（１０）は、図１（ｂ）に示すように、カップ状複合容器（２０）の口部に超音波シール法などにより熱融着して装着するものであり、シート蓋（３００）を前もって射出成形用金型内に挿着し、上方の外周リング（１００）とその下方の内周リング（２００）をポリエチレン、ポリプロピレンなどの熱可塑性樹脂で射出成形するとともにシート蓋と一体成形したものである。
【００１１】
上述の内周リング（２００）は、図１（ａ）乃至（ｃ）に示すように、上端面に、先端に幅広の指当て板（２１２）をもつプルリング（２１０）を設けた支柱（２１１）を立設し、この支柱の両側の対応する所定位置の内周縁部に、一対の反転用ノッチ（２２０）を形成するものである。この内周リング（２００）の内周縁部に設けられる一対のノッチ（２２０）によって、図２に示すように、開封時に剥離するシート蓋が開封途中で反転するものである。
【００１２】
また、シート蓋（３００）は、図４（ｂ）に示すように、周壁（３１０）の外周縁部（３１１）をテーパー形状にし、また、図１（ａ）及び図４（ｃ）に示すように、プルリング側の外周縁部（３１１）を接線に平行に内側をカット（３１２）するものである。
【００１３】
上述のシート蓋（３００）は、例えば図４（ａ）及び（ｃ）に示すように、周壁（３１０）と天板（３２０）からなり、天板には、通常、容器の減圧吸収のために、上方へ凹部を形成するものである。この凹部には、必要に応じて、補強凹部（３２１）を形成してもよい。また、シート蓋は、シートを真空成形法や圧空成形法などで成形して作製するものであり、シートは、単層でも多層でも良いが、通常では、バリヤ性を有する多層シートが用いられ、この多層シートの構成は、例えば、バリヤ層を中間層にもつポリエチレン／ポリ塩化ビニリデン／ポリエチレン構成、ポリエチレン／エチレン−ビニルアルコール共重合体／ポリエチレン構成、ポリプロピレン／ポリ塩化ビニリデン／ポリプロピレン構成、ポリプロピレン／エチレン−ビニルアルコール共重合体／ポリプロピレン構成、ポリプロピレン／ナイロン／ポリ塩化ビニリデン／ポリプロピレン構成、ポリプロピレン／ナイロン／エチレン−ビニルアルコール共重合体／ポリプロピレン構成などである。なお、シート蓋の外周リング及び内周リングと接着する面の材質は、外周リング及び内周リングを射出成形するときに熱融着する材質である。
【００１４】
そして、射出成形用金型のゲート位置（Ｇ）は、図１（ｃ）に示すように、外周リングからシート蓋の剥離して開封するときの最終位置から外し、且つ、図３に示すように、シート蓋（３００）から離した位置に設けるものである。
【００１５】
【発明の効果】
本発明のプルリング付広口蓋を装着した容器は、プルリングを指で引っ張ってシート蓋を剥離して容器を開封するときに、シート蓋が開封途中で反転して一旦停止するため、シート蓋を剥離する抵抗により発生する振動が和らぎ、開封時に内容物が容器からこぼれることがない。
【００１６】
また、本発明のプルリング付広口蓋は、プルリングの指当て板が幅広であり、プルリングを指でしっかり当てて引っ張り易く、また、シート蓋のプルリング側の外周縁部がカットされてため、開封開始時にシート蓋を剥離して開口し易く、しかも、シート蓋の外周縁部が外周リングにテーパー形状で接着しているため、シート蓋が外周リングから剥離し易く、開封適性が良好である。
【００１７】
そのうえ、射出成形用金型のゲート位置が、シート蓋が剥離する最終位置から外し、且つ、シート蓋から離した位置に設けられており、製造時にシート蓋が破損することがないので、形状が良好なプルリング付蓋である。
【図面の簡単な説明】
【図１】（ａ）は、本発明の一実施形態のプルリング付広口蓋の平面図であり、（ｂ）は、プルリング付広口蓋を複合容器の口部に装着したときの構造を示す説明図であり、（ｃ）は、外周リングと内周リングの底面図である。
【図２】内周リングが反転する状態を示す説明図である。
【図３】ゲート位置を示す説明図である。
【図４】（ａ）は、一実施形態のシート蓋の断面図であり、（ｂ）は、Ａ部分の拡大断面図であり、（ｃ）は、底面図である。
【符号の説明】
１０……プルリング付広口蓋
２０……複合容器
１００……外周リング
１０１……熱融着突起
２００……内周リング
２１０……プルリング
２１１……支柱
２１２……指当て板
２２０……ノッチ
２３０……補強リング
３００……シート蓋
３１０……周壁
３１１……外周縁部
３１２……カット
３２０……天板
３２１……補強凹部
【図１】
0004314646.tif 000002
【図２】
0004314646.tif 000003
【図３】
0004314646.tif 000004
【図４】
0004314646.tif 000005